(57)【要約】  本文は、フレーム構造の指示方法及び装置を提供する。当該方法は、１つ又は複数の第１時間単位を決定することと、１つ又は複数の第１時間単位のフレーム構造を指示することとを含む。本文は、フレーム構造の決定方法及び装置、記憶媒体及び電子装置をさらに公開する。
2021523658.tif 000002
【特許請求の範囲】
【請求項１】
１つ又は複数の第１時間単位を決定することと、
前記１つ又は複数の第１時間単位のフレーム構造を指示することとを含む、
フレーム構造の指示方法。
【請求項２】
システムによって、前記第１時間単位に含まれる第２時間単位の数を予め定義すること、又は、
第１ノードによって、前記第１時間単位に含まれる第２時間単位の数を準静的に配置することをさらに含む、
請求項１に記載のフレーム構造の指示方法。
【請求項３】
前記複数の第１時間単位の時間領域が連続であり、又は、
前記複数の第１時間単位の時間領域が非連続である、
請求項１に記載のフレーム構造の指示方法。
【請求項４】
前記第１時間単位に含まれる第２時間単位の時間領域が連続であり、又は、
前記第１時間単位に含まれる第２時間単位の時間領域が非連続である、
請求項１に記載のフレーム構造の指示方法。
【請求項５】
前記フレーム構造は、１つ又は複数の第１フォーマットを含む、
請求項１に記載のフレーム構造の指示方法。
【請求項６】
前記第１時間単位は、無線フレームと、ハーフフレームと、サブフレームと、スロットｓｌｏｔと、直交周波数分割多重ＯＦＤＭシンボルクラスターと、ミニスロットｍｉｎｉ−ｓｌｏｔと、ＯＦＤＭシンボルとの少なくとも１つを含み、
前記ＯＦＤＭシンボルクラスターは、複数の前記ＯＦＤＭシンボルを含む、
請求項１に記載のフレーム構造の指示方法。
【請求項７】
前記第２時間単位は、ＯＦＤＭシンボルクラスターと、ミニスロットｍｉｎｉ−ｓｌｏｔと、ＯＦＤＭシンボルとの少なくとも１つを含む、
請求項２に記載のフレーム構造の指示方法。
【請求項８】
前記フレーム構造に含まれる第１時間単位の数が、システムが予め定義する方式と、第１ノードが準静的に配置する方式と、第２ノードが動的に指示する方式との少なくとも１つによって決定されることをさらに含み、
前記第１ノードは、基地局と、中継ノードとの少なくとも１つを含み、前記第２ノードは、基地局、中継ノードのうちの少なくとも１つを含む、
請求項１に記載のフレーム構造の指示方法。
【請求項９】
前記複数の第１時間単位のうち、隣接する任意の２つの第１時間単位の時間領域間隔は、固定の時間領域間隔と、非固定の時間領域間隔との少なくとも１つを含む、
請求項１に記載のフレーム構造の指示方法。
【請求項１０】
前記固定の時間領域間隔をシステムによって予め定義する、又は第１ノードによってを準静的に配置することをさらに含む、
請求項９に記載のフレーム構造の指示方法。
【請求項１１】
リンクタイプによって、前記非固定の時間領域間隔を決定することをさらに含む、
請求項９に記載のフレーム構造の指示方法。
【請求項１２】
前記フレーム構造によって、前記リンクタイプを指示することをさらに含み、
前記リンクタイプは、無線バックホールＢａｃｋｈａｕｌリンクと、アクセスＡｃｃｅｓｓリンクと、非Ｂａｃｋｈａｕｌリンクと、非Ａｃｃｅｓｓリンクと、直接Ｄｉｒｅｃｔリンクと、非Ｄｉｒｅｃｔリンクと、第ａホップノードおよび第ｂホップノードの間のリンク（ａ、ｂは１以上の正の整数である）と、第１ノードおよび送信先ノードの間のリンクとの少なくとも１つを含み、
前記第１ノードは、基地局と、中継ノードとの少なくとも１つを含み、
前記送信先ノードは、基地局と、中継ノードと、端末との少なくとも１つを含む、
請求項１１に記載のフレーム構造の指示方法。
【請求項１３】
前記Ｂａｃｋｈａｕｌリンクは、基地局および中継ノードの間のリンクと、中継ノードおよび中継ノードの間のリンクとの少なくとも１つを含む、
請求項１２に記載のフレーム構造の指示方法。
【請求項１４】
前記Ａｃｃｅｓｓリンクは、中継ノードおよび端末の間のリンクを含み、
前記Ｄｉｒｅｃｔリンクは、基地局および端末の間のリンクを含む、
請求項１２に記載のフレーム構造の指示方法。
【請求項１５】
システムが予め定義する方式と、第１ノードが準静的に配置する方式との少なくとも１つによって、第１フォーマットを決定することをさらに含む、
請求項５に記載のフレーム構造の指示方法。
【請求項１６】
システムが予め定義する方式と、第１ノードが準静的に配置する方式との少なくとも１つによって、第１フォーマットに含まれる第２時間単位の数を決定することをさらに含む、
請求項５に記載のフレーム構造の指示方法。
【請求項１７】
１つ又は複数の第１時間単位のフレーム構造に係る指示を受信することと、
前記フレーム構造の指示に従って、１つ又は複数の第１時間単位のフレーム構造を決定することとを含む、
フレーム構造の決定方法。
【請求項１８】
前記第１時間単位は１つ又は複数の第２時間単位を含み、
システムが予め定義することで決定された第２時間単位の数を受信し、又は、
第１ノードが準静的に配置することで決定された前記第２時間単位の数を受信することさらにを含む、
請求項１７に記載のフレーム構造の決定方法。
【請求項１９】
前記複数の第１時間単位の時間領域は連続であり、又は、
複数の第１時間単位の時間領域は非連続である、
請求項１７に記載のフレーム構造の決定方法。
【請求項２０】
前記第１時間単位に含まれる第２時間単位の時間領域は連続であり、又は、
前記第１時間単位に含まれる第２時間単位の時間領域は非連続である、
請求項１７に記載のフレーム構造の決定方法。
【請求項２１】
前記フレーム構造は１つ又は複数の第１フォーマットを含む、
請求項１７に記載のフレーム構造の決定方法。
【請求項２２】
前記フレーム構造に含まれる第１時間単位の数は、
システムが予め定義する方式と、
第１ノードが準静的に配置する方式と、
第２ノードが動的に指示する方式との少なくとも１つによって決定されることをさらに含み、
前記第１ノードは、基地局と、中継ノードとの少なくとも１つを含み、
前記前記第２ノードは、基地局と、中継ノードとの少なくとも１つを含む、
請求項１７に記載のフレーム構造の決定方法。
【請求項２３】
前記複数の第１時間単位のうち、隣接する任意の２つの第１時間単位の時間領域間隔は、固定の時間領域間隔と、非固定の時間領域間隔との少なくとも１つを含む、
請求項１７に記載のフレーム構造の決定方法。
【請求項２４】
システムが予め定義する、又は第１ノードが準静的に配置することで決定された前記固定の時間領域間隔を取得することをさらに含む、
請求項２３に記載のフレーム構造の決定方法。
【請求項２５】
リンクタイプによって、前記非固定の時間領域間隔を決定することをさらに含む、
請求項２３に記載のフレーム構造の決定方法。
【請求項２６】
前記フレーム構造による前記リンクタイプに係る指示を受信することをさらに含む、
請求項２５に記載のフレーム構造の決定方法。
【請求項２７】
システムが予め定義する方式と、第１ノードが準静的に配置する方式との少なくとも１つによって、第１フォーマットを決定することをさらに含む、
請求項２１に記載のフレーム構造の決定方法。
【請求項２８】
システムが予め定義する方式と、第１ノードが準静的に配置する方式との少なくとも１つによって、第１フォーマットに含まれる第２時間単位の数を決定することをさらに含む、
請求項２１に記載のフレーム構造の決定方法。
【請求項２９】
１つ又は複数の第１時間単位を決定するように構成される第１決定モジュールと、
前記１つ又は複数の第１時間単位のフレーム構造を指示するように構成される指示モジュールとを備える、
フレーム構造の指示装置。
【請求項３０】
１つ又は複数の第１時間単位のフレーム構造に係る指示を受信するように構成される受信モジュールと、
前記フレーム構造の指示に従って、１つ又は複数の第１時間単位のフレーム構造を決定するように構成される第２決定モジュールとを備える、
フレーム構造の決定装置。
【請求項３１】
コンピュータプログラムが記憶されており、前記コンピュータプログラムは、実行されると請求項１〜１６又は請求項１７〜２８のいずれか１項に記載の方法を実行するように構成される、
記憶媒体。
【請求項３２】
メモリとプロセッサを備え、前記メモリにコンピュータプログラムが記憶され、前記プロセッサは、請求項１〜１６又は請求項１７〜２８のいずれか１項に記載の方法を実行するように、前記コンピュータプログラムを実行させるように構成される、電子装置。
【発明の詳細な説明】
【技術分野】
【０００１】
本出願は、２０１８年５月１１日に中国特許局に出願された中国特許出願番号２０１８１０４５９９２２．７に基づく優先権を主張するものであり、その出願におけるすべての内容は引用により本出願に組み込まれる。
【０００２】
本出願は通信分野に関し、具体的には、フレーム構造の指示方法及び装置、フレーム構造の決定方法及び装置、記憶媒体、プロセッサに関する。
【背景技術】
【０００３】
進化したロングタームエボルーション（Ｌｏｎｇ  Ｔｅｒｍ  Ｅｖｏｌｕｔｉｏｎ  Ａｄｖａｎｃｅｄ、  ＬＴＥ−Ａと略称する）において、中継（Ｒｅｌａｙ）技術を採用することで、ネットワークのカバレッジを効果的に拡大し、セル端データレートを改善することができるとともに、無線バックホール（ｂａｃｋｈａｕｌ）を利用することで、有線伝送ネットワークの敷設を回避し、迅速に配置することができ、事業者の敷設や経営コストを低減する。従って、Ｒｅｌａｙ技術はＬＴＥ−Ａシステムで採用されている主要な技術の１つである。ＬＴＥ−ＡのＲｅｌａｙ技術では、フレーム構造の設計について、ｆａｋｅ  ＭＢＳＦＮ  ｓｕｂｆｒａｍｅに基づく時分割半二重方式が採用され、すなわち、マルチメディアブロードキャスト・マルチキャストサービス単一周波数ネットワーク（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ、ＭＢＳＦＮと略称する）のサブフレーム配置によって、ｂａｃｋｈａｕｌリンク伝送に用いらるいくつかのｆａｋｅ  ＭＢＳＦＮサブフレームを配置し、アクセス（Ａｃｃｅｓｓ）リンクは、Ｎｏｎ−ＭＢＳＦＮサブフレームを用いて、ＢａｃｋｈａｕｌリンクとＡｃｃｅｓｓリンクとの時分割二重を実現し、端末にとって完全に透明である。
【０００４】
今後５Ｇまたは後続の進化バージョンにおいても、さらにＲｅｌａｙ技術を利用し、例えば、集積アクセス及び回路（Ｉｎｔｅｇｒａｔｅｄ  Ａｃｃｅｓｓ  ａｎｄ  Ｂａｃｋｈａｕｌ、ＩＡＢ）技術では、５Ｇの次世代無線通信規格（Ｎｅｗ  Ｒａｄｉｏ、ＮＲ）システムに基づいて、さらにマルチホップ  Ｒｅｌａｙをサポートし、ネットワークのトポロジーが冗長接続をサポートする。このようなネットワークトポロジーにおいて、異なるタイプのリンクは、システム資源を共有し、時間多重（Ｔｉｍｅ  Ｄｉｖｉｓｉｏｎ  Ｍｕｌｔｉｐｌｅｘｉｎｇ、ＴＤＭ）又は周波数多重（Ｆｒｅｑｕｅｎｃｙ  Ｄｉｖｉｓｉｏｎ  Ｍｕｌｔｉｐｌｅｘｉｎｇ、ＦＤＭ）又は空間多重（Ｓｐａｃｅ  Ｄｉｖｉｓｉｏｎ  Ｍｕｌｔｉｐｌｅｘｉｎｇ、ＳＤＭ）によって多重し、異なる多重方式において、異なるタイプのリンクフレーム構造に対する指示が、現在定義される方式と異なる可能性がある。
【０００５】
関連技術では、異なるフレーム構造を正確に指示することができないという問題に対して、現在、有効な解決策が提案されていない。
【発明の概要】
【０００６】
本発明の実施例は、少なくとも関連技術において異なるフレーム構造を正確に指示することができないという問題を解決するためのフレーム構造の指示方法及び装置、フレーム構造の決定方法及び装置、記憶媒体、プロセッサを提供する。
【０００７】
本発明の実施例によって、１つ又は複数の第１時間単位を決定することと、前記１つ又は複数の第１時間単位のフレーム構造を指示することとを含む、フレーム構造の指示方法を提供する。
【０００８】
本発明の実施例によって、１つ又は複数の第１時間単位のフレーム構造に係る指示を受信することと、前記フレーム構造の指示に従って、１つ又は複数の第１時間単位のフレーム構造を決定することを含む、フレーム構造の決定方法を提供する。
【０００９】
本発明の実施例によって、１つ又は複数の第１時間単位を決定するように構成される第１決定モジュールと、前記１つ又は複数の第１時間単位のフレーム構造を指示するように構成される指示モジュールとを備える、フレーム構造の指示装置を提供する。
【００１０】
本発明の実施例によって、１つ又は複数の第１時間単位のフレーム構造に係る指示を受信するように構成される受信モジュールと、前記フレーム構造の指示に従って、１つ又は複数の第１時間単位のフレーム構造を決定するように構成される第２決定モジュールとを備える、フレーム構造の決定装置をさらに提供する。
【００１１】
本発明の実施例によって、コンピュータプログラムが記憶されており、前記コンピュータプログラムは、実行されると前記いずれかの方法の実施例におけるステップを実行するように構成される、記憶媒体をさらに提供する。
【００１２】
本発明の実施例によって、メモリとプロセッサを備え、前記メモリにコンピュータプログラムが記憶され、前記プロセッサは、前記いずれかの方法実施例におけるステップを実行するように、前記コンピュータプログラムを実行させるように構成される、電子装置をさらに提供する。
【００１３】
ここで説明する図面は、本発明の実施例をさらに理解するためのものであり、本出願の一部を構成するものであり、意思を表明する実施例及びその説明は本出願を解釈するためのものであり、本出願を不当に限定するものではない。図面において、
【図面の簡単な説明】
【００１４】
【図１】本発明の実施例に係る、フレーム構造の指示方法の好ましいフローチャートである。
【図２】本発明の実施例に係る、フレーム構造の決定方法の好ましいフローチャートである。
【図３】本発明の実施例に係る、フレーム構造の指示装置の好ましいブロック図である。
【図４】本発明の実施例に係る、フレーム構造の決定装置の好ましいブロック図である。
【図５】本発明の好ましい実施例に係る、複数の非連続のサブフレームの好ましい指示模式図（一）である。
【図６】本発明の好ましい実施例に係る、複数の非連続のサブフレームの好ましい指示模式図（二）である。
【図７】本発明の好ましい実施例に係る、複数のＯＦＤＭシンボルクラスターの好ましい指示模式図（一）である。
【図８】本発明の好ましい実施例に係る、複数のＯＦＤＭシンボルクラスターの好ましい指示模式図（二）である。
【図９】本発明の好ましい実施例に係る、複数のＯＦＤＭシンボルクラスターの好ましい指示模式図（三）である。
【図１０】本発明の好ましい実施例に係る、複数のＯＦＤＭシンボルクの好ましい指示模式図（一）である。
【図１１】本発明の好ましい実施例に係る、好ましい複数のＯＦＤＭシンボルクの指示模式図（二）である。
【図１２】本発明の好ましい実施例に係る、新しいＳＦＩ  ｆｏｒｍａｔは連続的なＯＦＤＭシンボルに対応する好ましい模式図（一）である。
【図１３】本発明の好ましい実施例に係る、新しいＳＦＩ  ｆｏｒｍａｔは連続的なＯＦＤＭシンボルに対応する好ましい模式図（二）である。
【図１４】本発明の好ましい実施例に係る、新しいＳＦＩ  ｆｏｒｍａｔは非連続的なＯＦＤＭシンボルに対応する好ましい模式図（三）である。
【発明を実施するための形態】
【００１５】
なお、本出願の明細書及び特許請求の範囲、並びに上記図面中の用語「第１」、「第２」等は、特定の順序や前後順序を説明するためのものではなく、類似の対象を区別するために用いられるものである。このように使用されるデータは、適切な場合に互換できることが理解されるべきであり、ここで説明する本発明の実施例は、ここでは図示し、又は説明する以外の順序で実施することができる。また、用語“含む”と“有する”並びにそれらの任意の変形は、不排他的な包含をカバーすることを意図するものであり、例えば、一連のステップ又は手段を含む過程、方法、システム、製品又は設備は、必ずしも明らかに列挙されたステップ又は手段に限定されるものではなく、明確に列挙されていない又はこれらの過程、方法、製品又は設備に固有する他のステップ又は手段を含んでいてもよい。
【００１６】
５Ｇ  ＮＲのフレーム構造（Ｆｒａｍｅ  Ｃｏｎｆｉｇｕｒａｔｉｏｎ）配置では、現在、準静的な配置と動的な配置の２つタイプがサポートされ、準静的な配置はｃｅｌｌ−ｓｐｅｃｉｆｉｃ配置及びＵＥ−ｓｐｅｃｉｆｉｃ配置をサポートし、動的な配置は、Ｇｒｏｕｐ−ｃｏｍｍｏｎ物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）に支えられたスロットフォーマットインジケータ（Ｓｌｏｔ  Ｆｏｒｍａｔ  Ｉｎｄｉｃａｔｏｒ、ＳＦＩ）を用いて指示される。準静的な配置でも、動的な配置でも、フレーム構造のタイプに基づいて、いずれも３つのタイプＤｏｗｎｌｉｎｋ、Ｕｐｌｉｎｋ及びＦｌｅｘｉｂｌｅをサポートし、準静的なｃｅｌｌ−ｓｐｅｃｉｆｉｃ配置とＵＥ−ｓｐｅｃｉｆｉｃ配置については、それぞれ異なる配置方法が定義されており、ｃｅｌｌ−ｓｐｅｃｉｆｉｃ配置は、特定の周期を単位とし、１つ又は２つの特定周期内のフレーム構造が配置されてもよい。ＵＥ−ｓｐｅｃｉｆｉｃ配置は、ｐｅｒ  ｓｌｏｔ配置であり、ｃｅｌｌ−ｓｐｅｃｉｆｉｃ配置におけるＦｌｅｘｉｂｌｅ時間領域を書き換えることができる。１つのＳＦＩは１つ又は複数の連続ｓｌｏｔのフレーム構造を指示することができ、５Ｇ  ＮＲでは複数のｓｌｏｔ  ｆｏｒｍａｔが定義され、基地局は端末に複数のｃｏｍｂｉｎａｔｉｏｎ  ｓ  ｆｏｒ  ｓｌｏｔ  ｆｏｒｍａｔｓを準静的に配置し、ＳＦＩは１つのキャリアに１つのｃｏｍｂｉｎａｔｉｏｎ  ｆｏｒ  ｓｌｏｔ  ｆｏｒｍａｔｓを指示してもよく、ここで１つ又は複数のｓｌｏｔ  ｆｏｒｍａｔを含み、それぞれ１つ又は複数のｓｌｏｔのフレーム構造を指示する。
【００１７】
本発明の実施例によれば、フレーム構造の指示方法の実施例が提供される。なお、図面のフローチャートに示されたステップは、例えば、一組のコンピュータが命令を実行できるようなコンピュータシステムにおいて実行されてもよく、また、このフローチャートでは論理的な順序が示されているが、いくつかの場合では、その順序とは異なる順序で示され、又は説明されたステップが実行されてもよい。
【００１８】
図１は本発明の実施例に係るフレーム構造の指示方法のフローチャートであり、図１に示すように、当該方法は
１つ又は複数の第１時間単位を決定するステップＳ１０２と、
１つ又は複数の第１時間単位のフレーム構造を指示するステップＳ１０４とを含む。
【００１９】
本発明の実施例に係る上記ステップによって、１つ又は複数の第１時間単位を決定し、１つ又は複数の第１時間単位を含むフレーム構造を指示し、関連技術において異なるフレーム構造を正確に指示することができないという問題を解決する。
【００２０】
なお、フレーム構造は、１つ又は複数の第１時間単位での伝送方向を指示し、前記伝送方向は、下りリンク伝送、上りリンク伝送、任意の方向等であってもよい。
【００２１】
好ましくは、前記方法は、
システムによって、前記第１時間単位に含まれる第２時間単位の数を予め定義すること、又は、
第１ノードによって、前記第１時間単位に含まれる第２時間単位の数を準静的に配置すること、をさらに含む。
【００２２】
好ましくは、前記方法は、
前記複数の第１時間単位の時間領域が連続であること、又は
前記複数の第１時間単位の時間領域が非連続であること、をさらに含む。
【００２３】
好ましくは、前記方法は、
前記第１時間単位に含まれる第２時間単位の時間領域が連続であること、又は
前記第１時間単位に含まれる第２時間単位の時間領域が非連続であること、をさらに含む。
【００２４】
好ましくは、前記方法は、
前記フレーム構造は、１つ又は複数の第１フォーマットを含む、ことをさらに含む。
【００２５】
好ましくは、前記第１時間単位は、無線フレームと、ハーフフレームと、サブフレームと、スロットｓｌｏｔと、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルクラスターと、ミニスロットｍｉｎｉ−ｓｌｏｔと、ＯＦＤＭシンボルとの少なくとも１つを含み、前記ＯＦＤＭシンボルクラスターは、複数の前記ＯＦＤＭシンボルを含む。
【００２６】
好ましくは、前記第２時間単位は、ＯＦＤＭシンボルクラスターと、ミニスロットｍｉｎｉ−ｓｌｏｔと、ＯＦＤＭシンボルとの少なくとも１つを含む。
【００２７】
好ましくは、前記方法において、
前記フレーム構造に含まれる第１時間単位の数が、システムが予め定義する方式と、
第１ノードが準静的に配置する方式と、第２ノードが動的に指示する方式との少なくとも１つによって決定される、ことをさらに含む。
【００２８】
ここで、第１ノードは、基地局、中継ノードのうちの少なくとも１つを含み、第２ノードは、基地局、中継ノードのうちの少なくとも１つを含む。
【００２９】
好ましくは、前記方法は、複数の第１時間単位のうち、隣接する任意の２つの第１時間単位の時間領域間隔は、固定の時間領域間隔と、非固定の時間領域間隔とのうちの少なくとも１つを含む、ことをさらに含む。
【００３０】
好ましくは、前記方法は、前記固定の時間領域間隔をシステムによって予め定義する、又は第１ノードによって準静的に配置する、ことをさらに含む。
【００３１】
好ましくは、前記方法はリンクタイプによって前記非固定の時間領域間隔を決定する、ことをさらに含む。
【００３２】
好ましくは、フレーム構造によって、前記リンクタイプを指示する。ここで、前記リンクタイプは、無線バックホールＢａｃｋｈａｕｌリンクと、アクセスＡｃｃｅｓｓリンクと、非Ｂａｃｋｈａｕｌリンクと、非Ａｃｃｅｓｓリンクと、直接Ｄｉｒｅｃｔリンクと、非Ｄｉｒｅｃｔリンクと、第ａホップノードおよび第ｂホップノードの間のリンク（ａ、ｂは１以上の正の整数である）と、第１ノードおよび送信先ノードの間のリンクと、の少なくとも１つを含む。前記第１ノードは、基地局と、中継ノードとの少なくとも１つを含み、前記送信先ノードは、基地局と、中継ノードと、端末との少なくとも１つを含む。
【００３３】
好ましくは、Ｂａｃｋｈａｕｌリンクは、基地局および中継ノードの間のリンクと、中継ノードおよび中継ノードの間のリンクとの少なくとも１つを含む。
【００３４】
好ましくは、Ａｃｃｅｓｓリンクは、中継ノードおよび端末の間のリンクを含み、Ｄｉｒｅｃｔリンクは、基地局および端末の間のリンクを含む。
【００３５】
好ましくは、前記方法は
システムが予め定義する方式と、第１ノードが準静的に配置する方式との少なくとも１つによって、第１フォーマットを決定することを含む。
【００３６】
好ましくは、
システムが予め定義する方式と、
第１ノードが準静的に配置する方式との少なくとも１つによって、第１フォーマットに含まれる第２時間単位の数を決定する。
【００３７】
本発明の実施形態において、１つ又は複数の第１時間単位を決定し、１つ又は複数の第１時間単位のフレーム構造を指示することによって、関連技術において異なるフレーム構造を正確的に指示することができないという問題を解決でき、さらに第１時間単位のフレーム構造を指示することが実現される。
【００３８】
図２は、本発明の実施例に係るフレーム構造の決定方法のフローチャートであり、図２に示すように、当該方法は、
１つ又は複数の第１時間単位のフレーム構造に係る指示を受信するステップＳ２０２と、
前記フレーム構造の指示に従って、１つ又は複数の第１時間単位のフレーム構造を決定するステップＳ２０４とを含む。
【００３９】
本発明の実施形態に係る上記のステップによれば、１つ又は複数の時間単位のフレーム構造に係る指示を受信し、前記フレーム構造の指示に従って、１つ又は複数の第１時間単位のフレーム構造を決定し、関連技術において異なるフレーム構造を正確に指示することができないという問題を解決する。
【００４０】
前記フレーム構造は、１つ又は複数の第１時間単位での伝送方向を指示し、前記伝送方向は、下りリンク伝送、上りリンク伝送、任意の方向等であってもよい。
【００４１】
好ましくは、前記第１時間単位は１つ又は複数の第２時間単位を含み、前記方法は、システムが予め定義することで決定した第２時間単位の数を取得すること、又は第１ノードが準静的に配置することで決定した第２時間単位の数を受信することをさらに含む。
【００４２】
好ましくは、前記方法は、複数の第１時間単位の時間領域は連続であること、又は複数の第１時間単位の時間領域は非連続であること、をさらに含む。
【００４３】
好ましくは、前記方法は、第１時間単位に含まれる第２時間単位時間領域は連続であること、又は第１時間単位に含まれる第２時間単位時間領域は非連続であること、をさらに含む。
【００４４】
好ましくは、前記方法は、フレーム構造は１つ又は複数の第１フォーマットを含む、ことをさらに含む。
【００４５】
好ましくは、前記方法において、
フレーム構造に含まれる第１時間単位の数は、システムが予め定義する方式と、第１ノードが準静的に配置する方式と、第２ノードが動的に指示する方式との少なくとも１つによって決定される、ことをさらに含む。
【００４６】
ここで、前記第１ノードは、基地局と、中継ノードとの少なくとも１つを含み、前記第２ノードは、基地局と、中継ノードとの少なくとも１つを含む。
【００４７】
好ましくは、前記方法は、前記複数の第１時間単位のうち、隣接する任意の２つの第１時間単位の時間領域間隔は、固定の時間領域間隔と、非固定の時間領域間隔との少なくとも１つを含む、ことをさらに含む。
【００４８】
好ましくは、前記方法は、システムが予め定義する、又は第１ノードが準静的に配置することで決定された前記固定の時間領域間隔を取得する、ことをさらに含む。
【００４９】
好ましくは、前記方法は、リンクタイプによって前記非固定の時間領域間隔を決定する、ことをさらに含む。
【００５０】
好ましくは、前記フレーム構造による前記リンクタイプに係る指示を受信する。
好ましくは、前記方法は、システムが予め定義する方式と、第１ノードが準静的に配置する方式との少なくとも１つによって、第１フォーマットを決定することを含む。
【００５１】
好ましくは、システムが予め定義する方式と、第１ノードが準静的に配置する方式との少なくとも１つによって決定された第１フォーマットに含まれる第２時間単位の数を受信する。
【００５２】
上記実施形態の説明により、当業者であれば、上記実施例に係る方法によって、ソフトウェアと、必要な汎用ハードウェアプラットフォームとの組み合わせによって実現可能であること、もちろん、ハードウェアによっても実現可能であることが明らかである。このような理解に基づいて、本発明の実施例の技術様態の本質的又は関連技術に寄与する部分はソフトウェア製品の形で具現化されてもよく、このコンピュータソフトウェア製品は、記憶媒体（例えばＲＯＭ／ＲＡＭ、磁気ディスク、光ディスク）に格納されており、本発明の実施例に係る方法を１つの端末装置（携帯電話、コンピュータ、サーバー、ネットワーク設備等でもよい）に実行させるための複数の命令を含む。
【００５３】
本実施例において、フレーム構造の指示装置が提供され、この装置は、上述の実施例及び好ましい実施形態を実現するためのものであり、説明した内容は省略する。以下で使用される「モジュール」という用語は、所定の機能のソフトウェア及び／又はハードウェアの組み合わせを実現し得る。以下の実施例で説明する装置をソフトウェアで実現することが好ましいであるが、ハードウェアまたはソフトウェアとハードウェアの組み合わせによる実現も考えられる。
【００５４】
図３は本発明の実施例に係るフレーム構造の指示装置の模式図であり、図３に示すように、当該装置は、
１つ又は複数の第１時間単位を決定するための第１決定モジュール２２と、
１つ又は複数の第１時間単位のフレーム構造を指示するための指示モジュール２４を含んでもよい。
【００５５】
上記モジュールの統合作用により、１つ又は複数の第１時間単位を決定し、１つ又は複数の第１時間単位のフレーム構造を指示して、関連技術において異なるフレーム構造を正確に指示することができないという問題を解決する。
【００５６】
前記フレーム構造は、１つ又は複数の第１時間単位での伝送方向を指示し、前記伝送方向は、下りリンク伝送、上りリンク伝送、任意の方向等であってもよい。
【００５７】
なお、当該実施例における決定モジュール２２は、本出願の実施例におけるステップＳ１０２を実行するために使用されてもよく、当該実施例における指示モジュール２４は、本出願の実施例におけるステップＳ１０４を実行するために使用されてもよい。上述したモジュールおよび対応するステップで実現される例示及び応用シナリオは同じであるが、上述した実施例に開示された内容に限定されない。
【００５８】
好ましくは、第１決定モジュール２２は、さらに、
システムによって第１時間単位に含まれる第２時間単位の数を予め定義すること、又は
第１ノードによって前記第１時間単位に含まれる第２時間単位の数を準静的に配置することに用いられる。
【００５９】
なお、本発明の実施例において、前記複数の第１時間単位の時間領域は連続であり、又は前記複数の第１時間単位の時間領域は非連続である。前記フレーム構造は１つ又は複数の第１フォーマットを含む。
【００６０】
なお、本発明の実施例において、前記第１時間単位は、無線フレームと、ハーフフレームと、サブフレームと、スロットｓｌｏｔと、ＯＦＤＭシンボルクラスターと、ミニスロットｍｉｎｉ−ｓｌｏｔと、ＯＦＤＭシンボルとの少なくとも１つを含む。ここで、前記ＯＦＤＭシンボルクラスターは複数の前記ＯＦＤＭシンボルを含む。前記第２時間単位は、ＯＦＤＭシンボルクラスターと、ミニスロットｍｉｎｉ−ｓｌｏｔと、ＯＦＤＭシンボルとの少なくとも１つを含む。
【００６１】
好ましくは、第１決定モジュール２２は、さらに、
システムが予め定義する方式と、
第１ノードが準静的に配置する方式と、
第２ノードが動的に指示する方式との少なくとも１つによって、フレーム構造に含まれる第１時間単位の数を決定することに用いられる。
【００６２】
ここで、第１ノードは、基地局と、中継ノードとの少なくとも１つを含み、第２ノードは、基地局、中継ノードのうちの少なくとも１つを含む。
【００６３】
なお、本発明の実施例において、前記複数の第１時間単位の時間領域は連続であり、又は前記複数の第１時間単位の時間領域は非連続である。前記フレーム構造は１つ又は複数の第１フォーマットを含む。
【００６４】
複数の第１時間単位のうち、隣接する任意の２つの第１時間単位の時間領域間隔は、固定の時間領域間隔と、非固定の時間領域間隔との少なくとも１つを含む。
【００６５】
好ましくは、指示モジュール２４は、さらに、固定の時間領域間隔をシステムによって予め定義する又は第１ノードによって準静的に配置することに用いられる。
【００６６】
好ましくは、指示モジュール２４は、さらに、リンクタイプによって前記非固定の時間領域間隔を決定することに用いられる。
【００６７】
なお、本発明の実施例において、前記複数の第１時間単位の時間領域は連続であり、又は複数の第１時間単位の時間領域は非連続である。前記フレーム構造は１つ又は複数の第１フォーマットを含む。
【００６８】
前記フレーム構造によって前記リンクタイプを指示する。ここで、前記リンクタイプは、無線バックホールＢａｃｋｈａｕｌリンクと、アクセスＡｃｃｅｓｓリンクと、非Ｂａｃｋｈａｕｌリンクと、非Ａｃｃｅｓｓリンクと、直接Ｄｉｒｅｃｔリンクと、非Ｄｉｒｅｃｔリンクと、第ａホップノードおよび第ｂホップノードの間のリンク（ａ、ｂは１以上の正の整数である）と、第１ノードおよび送信先ノードの間のリンクとの少なくとも１つを含み、前記第１ノードは、基地局と、中継ノードとの少なくとも１つを含み、前記送信先ノードは、基地局と、中継ノードと、端末との少なくとも１つを含む。前記Ｂａｃｋｈａｕｌリンクは、基地局および中継ノードの間のリンクと、中継ノードおよび中継ノードの間のリンクとの少なくとも１つを含む。前記Ａｃｃｅｓｓリンクは、中継ノードおよび端末の間のリンクを含み、前記Ｄｉｒｅｃｔリンクは、基地局および端末の間のリンクを含む。
【００６９】
好ましくは、第１決定モジュール２２は、さらに、
システムが予め定義する方式と、
第１ノードが準静的に配置する方式との少なくとも１つによって、第１フォーマットを決定することに用いられる。
【００７０】
好ましくは、第１決定モジュールは、さらに、
システムが予め定義する方式と、
第１ノードが準静的に配置する方式との少なくとも１つによって、第１フォーマットに含まれる第２時間単位の数を決定することに用いられる。
【００７１】
図４は本発明の実施例に係るフレーム構造の決定装置の模式図であり、図４に示すように、当該装置は、
１つ又は複数の第１時間単位のフレーム構造に係る指示を受信するための受信モジュール３２と、
前記フレーム構造の指示に従って１つ又は複数の第１時間単位のフレーム構造を決定するための第２決定モジュール３４を含んでもよい。
【００７２】
前記フレーム構造は、１つ又は複数の第１時間単位での伝送方向を指示し、前記伝送方向は、下りリンク伝送、上りリンク伝送、任意の方向等であってもよい。
【００７３】
上記モジュールの統合作用により、１つ又は複数の時間単位のフレーム構造に係る指示を受信し、前記フレーム構造の指示に従って、１つ又は複数の第１時間単位のフレーム構造を決定し、関連技術において異なるフレーム構造を正確に指示することができないという問題を解決する。
【００７４】
なお、当該実施例における受信モジュール３２は、本出願の実施例におけるステップＳ２０２を実行するために使用されてもよく、当該実施例における第２決定モジュール３４は、本出願の実施例におけるステップＳ２０４を実行するために使用されてもよい。上述したモジュールおよび対応するステップによって実現される例及び応用シナリオとは同じであるが、上述した実施例に開示された内容に限定されない。
【００７５】
好ましくは、前記第１時間単位は１つ又は複数の第２時間単位を含み、、前記受信モジュール３２は、さらに、システムが予め定義することで決定された第２時間単位の数を受信すること、又は第１ノードが準静的に配置することで決定された前記第２時間単位の数を受信することに用いられる。
【００７６】
なお、本発明の実施例において、前記複数の第１時間単位の時間領域は連続であり、又は前記複数の第１時間単位の時間領域は非連続である。
【００７７】
なお、本発明の実施例において、前記第１時間単位に含まれる第２時間単位の時間領域は連続であり、又は前記第１時間単位に含まれる第２時間単位の時間領域は非連続である。
【００７８】
なお、本発明の実施例において、前記フレーム構造は１つ又は複数の第１フォーマットを含む。
【００７９】
好ましくは、前記第２決定モジュール３４は、さらに、システムが予め定義する方式と、第１ノードが準静的に配置する方式との少なくとも１つによって、前記フレーム構造に含まれる第１時間単位の数を決定することに用いられる。
【００８０】
ここで、前記第１ノードは、基地局と、中継ノードとの少なくとも１つを含み、前記第２ノードは、基地局、中継ノードのうちの少なくとも１つを含む。
【００８１】
なお、本発明の実施例において、前記第１時間単位のうち、隣接する任意の２つの第１時間単位の時間領域間隔が、固定の時間領域間隔と、非固定の時間領域間隔との少なくとも１つを含む。
【００８２】
好ましくは、第２決定モジュール３４は、さらに、前記固定の時間領域間隔をシステムによって予め定義する、又は第１ノードによって準静的に配置することに用いられる。
【００８３】
好ましくは、第２決定モジュール３４は、さらに、リンクタイプによって前記非固定の時間領域間隔を決定することに用いられる。
【００８４】
好ましくは、前記受信モジュール３２は、さらに、前記フレーム構造による前記リンクタイプに係る指示を受信することに用いられる。
【００８５】
好ましくは、前記受信モジュール３２は、さらに、システムが予め定義する方式と、第１ノードが準静的に配置する方式との少なくとも１つによって決定された前記第１フォーマットを受信することに用いられる。
【００８６】
好ましくは、前記受信モジュール３２は、さらにシステムが予め定義する方式と、第１ノードが準静的に配置する方式との少なくとも１つによって決定された前記第１フォーマットに含まれる第２フォーマットの数を受信することに用いられる。
【００８７】
本発明の実施例は、コンピュータプログラムが記憶されており、当該コンピュータプログラムは、実行されると前記いずれかの方法の実施例におけるステップを実行するように構成される、記憶媒体をさらに提供する。
【００８８】
好ましくは、本実施例において、前記記憶媒体は
１つ又は複数の第１時間単位を決定するステップＳ１と、
１つ又は複数の第１時間単位のフレーム構造を指示するステップＳ２とを実行ためのコンピュータプログラムを記憶するように構成されてもよい。
【００８９】
好ましくは、本実施例において、前記プログラムは
前記第１時間単位に含まれる第２時間単位の数をシステムによって予め定義するステップＳ３、又は第１ノードによって前記第１時間単位に含まれる第２時間単位の数を準静的に配置するステップを実行することに用いられる。
【００９０】
なお、本発明の実施例において、前記複数の第１時間単位の時間領域が連続であり、又は前記複数の第１時間単位の時間領域が非連続である。
【００９１】
なお、本発明の実施例において、前記第１時間単位に含まれる第２時間単位の時間領域が連続であり、又は前記第１時間単位に含まれる第２時間単位の時間領域が非連続である。
【００９２】
なお、本発明の実施例において、前記フレーム構造は１つ又は複数の第１フォーマットを含む。
【００９３】
ステップＳ４において、
システムが予め定義する方式と、
第１ノードが準静的に配置する方式と、
第２ノードが動的に指示する方式との少なくとも１つによって、前記フレーム構造に含まれる第１時間単位の数を決定する。
【００９４】
ここで、前記第１ノードは、基地局と、中継ノードとの少なくとも１つを含み、前記前記第２ノードは、基地局と、中継ノードとの少なくとも１つを含む。
【００９５】
なお、本発明の実施例において、複数の第１時間単位のうち、隣接する任意の２つの第１時間単位の時間領域間隔は、固定の時間領域間隔と、非固定の時間領域間隔との少なくとも１つを含む。
【００９６】
ステップＳ５において、前記固定の時間領域間隔をシステムによって予め定義する、又は第１ノードによって準静的に配置する。
【００９７】
ステップＳ６において、リンクタイプによって前記非固定の時間領域間隔を決定する。
ステップＳ７において、システムが予め定義する方式と、
第１ノードが準静的に配置する方式との少なくとも１つによって、
前記第１フォーマットを決定する。
【００９８】
ステップＳ８において、システムが予め定義する方式と、
第１ノードが準静的に配置する方式との少なくとも１つによって、
第１フォーマットに含まれる第２時間単位の数を決定する。
【００９９】
本発明の実施例は、コンピュータプログラムが記憶されており、当該コンピュータプログラムは、実行されると前記いずれかの方法の実施例におけるステップを実行するように構成される、別の記憶媒体をさらに提供する。
【０１００】
好ましくは、本実施例において、前記記憶媒体は
１つ又は複数の時間単位のフレーム構造の指示を受信するステップＳ１と、
前記フレーム構造の指示に従って、１つ又は複数の第１時間単位のフレーム構造を決定するステップＳ２とを行うためのコンピュータプログラムを記憶するように構成されてもよい。
【０１０１】
好ましくは、本実施例において、前記プログラムは
システムが予め定義することで決定された第２時間単位の数を取得する、又は第１ノードが準静的に配置することで決定された第２時間単位の数を受信するステップＳ３を実行することに用いられる。
【０１０２】
なお、本発明の実施例において、複数の第１時間単位の時間領域は連続であり、又は複数の第１時間単位の時間領域は非連続である。
【０１０３】
なお、本発明の実施例において、第１時間単位に含まれる第２時間単位の時間領域は連続であり、又は第１時間単位に含まれる第２時間単位の時間領域は非連続である。
【０１０４】
なお、本発明の実施例において、フレーム構造は１つ又は複数の第１フォーマットを含む。
【０１０５】
ステップＳ４において、システムが予め定義する方式と、第１ノードが準静的に配置する方式と、第２ノードが動的に指示する方式との少なくとも１つによって、フレーム構造に含まれる第１時間単位の数を決定する。
【０１０６】
ここで、前記第１ノードは、基地局と、中継ノードとの少なくとも１つを含み、前記第２ノードは、基地局、中継ノードのうちの少なくとも１つを含む。
【０１０７】
なお、本発明の実施例において、複数の第１時間単位のうち、隣接する任意の２つの第１時間単位の時間領域間隔は、固定の時間領域間隔と、非固定の時間領域間隔との少なくとも１つを含む。
【０１０８】
ステップＳ５において、システムが予め定義する、又は第１ノードが準静的に配置することで決定された前記固定の時間領域間隔を取得する。
【０１０９】
ステップＳ６において、リンクタイプによって前記非固定の時間領域間隔を決定する。
ステップＳ７において、前記フレーム構造による前記リンクタイプに係る指示を受信する。
【０１１０】
ステップＳ８において、システムが予め定義する方式と、第１ノードが準静的に配置する方式との少なくとも１つによって、第１フォーマットを決定する。
【０１１１】
ステップＳ９において、システムが予め定義する方式と、第１ノードが準静的に配置する方式との少なくとも１つによって決定された第１フォーマットに含まれる第２時間単位の数を受信する。
【０１１２】
本発明の実施例は、前記いずれかの方法の実施例におけるステップを実行するためにコンピュータプログラムを実行するように構成される、プロセッサをさらに提供する。
【０１１３】
ステップＳ１において、１つ又は複数の第１時間単位を決定する。
ステップＳ２において、１つ又は複数の第１時間単位のフレーム構造を指示する。
【０１１４】
好ましくは、本実施例において、前記プログラムは
前記第１時間単位に含まれる第２時間単位の数をシステムによって予め定義するステップＳ３、又は第１ノードによって前記第１時間単位に含まれる第２時間単位の数を準静的に配置するステップを実行することに用いられる。
【０１１５】
なお、本発明の実施例において、前記複数の第１時間単位の時間領域が連続であり、又は前記複数の第１時間単位の時間領域が非連続である。
【０１１６】
なお、本発明の実施例において、前記第１時間単位に含まれる第２時間単位の時間領域が連続であり、又は前記第１時間単位に含まれる第２時間単位の時間領域が非連続である。
【０１１７】
なお、本発明の実施例において、前記フレーム構造は１つ又は複数の第１フォーマットを含む。
【０１１８】
ステップＳ４において、
システムが予め定義する方式と、
第１ノードが準静的に配置する方式と、
第２ノードが動的に指示する方式との少なくとも１つによって、前記フレーム構造に含まれる第１時間単位の数を決定する。
【０１１９】
ここで、前記第１ノードは、基地局と、中継ノードとの少なくとも１つを含み、前記前記第２ノードは、基地局と、中継ノードとの少なくとも１つを含む。
【０１２０】
なお、本発明の実施例において、複数の第１時間単位のうち、隣接する任意の２つの第１時間単位の時間領域間隔は、固定の時間領域間隔と、非固定の時間領域間隔との少なくとも１つを含む。
【０１２１】
ステップＳ５において、前記固定の時間領域間隔をシステムによって予め定義する、又は第１ノードによって準静的に配置する。
【０１２２】
ステップＳ６において、リンクタイプによって前記非固定の時間領域間隔を決定する。
ステップＳ７において、システムが予め定義する方式と、
第１ノードが準静的に配置する方式との少なくとも１つによって、
前記第１フォーマットを決定する。
【０１２３】
ステップＳ８において、システムが予め定義する方式と、
第１ノードが準静的に配置する方式との少なくとも１つによって、
第１フォーマットに含まれる第２時間単位の数を決定する。
【０１２４】
本発明の実施例は、前記いずれかの方法の実施例におけるステップを実行するためにコンピュータプログラムを実行するように構成される、別のプロセッサをさらに提供する。
【０１２５】
ステップＳ１において、１つ又は複数の第１時間単位のフレーム構造に係る指示を受信する。
【０１２６】
ステップＳ２において、前記フレーム構造の指示に従って、１つ又は複数の第１時間単位のフレーム構造を決定する。
【０１２７】
好ましくは、本実施例において、前記プログラムは
システムが予め定義することで決定された第２時間単位の数を取得する、又は第１ノードが準静的に配置することで決定された第２時間単位の数を受信するステップＳ３を実行することに用いられる。
【０１２８】
なお、本発明の実施例において、複数の第１時間単位の時間領域は連続であり、又は複数の第１時間単位の時間領域は非連続である。
【０１２９】
なお、本発明の実施例において、第１時間単位に含まれる第２時間単位の時間領域は連続であり、又は第１時間単位に含まれる第２時間単位の時間領域は非連続である。
【０１３０】
なお、本発明の実施例において、フレーム構造は１つ又は複数の第１フォーマットを含む。
【０１３１】
ステップＳ４において、システムが予め定義する方式と、第１ノードが準静的に配置する方式と、第２ノードが動的に指示する方式との少なくとも１つによって、フレーム構造に含まれる第１時間単位の数を決定する。
【０１３２】
ここで、前記第１ノードは、基地局と、中継ノードとの少なくとも１つを含み、前記第２ノードは、基地局、中継ノードのうちの少なくとも１つを含む。
【０１３３】
なお、本発明の実施例において、複数の第１時間単位のうち、隣接する任意の２つの第１時間単位の時間領域間隔は、固定の時間領域間隔と、非固定の時間領域間隔との少なくとも１つを含む。
【０１３４】
ステップＳ５において、システムが予め定義する、又は第１ノードが準静的に配置することで決定された前記固定の時間領域間隔を取得する。
【０１３５】
ステップＳ６において、リンクタイプによって前記非固定の時間領域間隔を決定する。
ステップＳ７において、前記フレーム構造による前記リンクタイプに係る指示を受信する。
【０１３６】
ステップＳ８において、システムが予め定義する方式と、第１ノードが準静的に配置する方式との少なくとも１つによって、第１フォーマットを決定する。
【０１３７】
ステップＳ９において、システムが予め定義する方式と、第１ノードが準静的に配置する方式との少なくとも１つによって決定された第１フォーマットに含まれる第２時間単位の数を受信する。
【０１３８】
以下、好ましい実施例を参照して上記方法を説明するが、本発明の実施例の保護範囲を限定するものではない。
【０１３９】
好ましい実施例１
（１）複数の非連続なサブフレームを指示する。
【０１４０】
上位層ノード（上記実施例の第１ノードに相当する）は、送信先ノード（上記実施例の第２ノードに相当する）にフレーム構造を指示する際に、複数の非連続なサブフレームのフレーム構造を指示してもよい。ここで、上位層ノードは、基地局、中継ノードであってもよく、送信先ノードは、基地局、中継ノードであってもよい。
【０１４１】
なお、上位層ノードは請求項における第１ノードに相当し、送信先ノードは請求項における第２ノードに相当する。
【０１４２】
複数の非連続なサブフレームを指示する場合、具体的な指示状況は以下の通りである。送信先ノードはサブフレームｎにおいて１つのフレーム構造指示を受信し、フレーム構造指示にｍ個（ｍ＞１）のスロットｓｌｏｔ  ｆｏｒｍａｔが含まれた場合、フレーム構造指示におけるｍ個のｓｌｏｔ  ｆｏｒｍａｔはｍ個の非連続的なｓｌｏｔのフレーム構造を指示してもよく、送信先ノード前記フレーム構造指示を受信すると、指示されたｍ個のｓｌｏｔが具体的にどのｓｌｏｔであるかをどのように決定するかは、以下の少なくとも１つに従うことができる。
【０１４３】
１、リンクタイプによって判断する。前記フレーム構造指示がリンクタイプ１に対応する場合、ｍ個のｓｌｏｔのフレーム構造は、サブフレームｎ又は特定サブフレームからのｍ個のリンクタイプ１サブフレームのフレーム構造にそれぞれ対応する。前記リンクタイプ１は、Ｂａｃｋｈａｕｌリンク、又はＡｃｃｅｓｓリンク、又は前記上位層ノードおよび前記送信先ノードの間のリンク、又は特定ノードおよび前記送信先ノードの間のリンクであってもよい。ｍ＝３を例として、図５に示すように複数の非連続なサブフレームを指示する。
【０１４４】
２、前記送信先ノードは、システムが予め定義する方式、又は他のノードが準静的に配置する方式によってリンクタイプを把握する。
【０１４５】
前記リンクタイプは、
Ｂａｃｋｈａｕｌリンクと、
Ａｃｃｅｓｓリンクと、
非Ｂａｃｋｈａｕｌリンクと、
非Ａｃｃｅｓｓリンクと、
Ｄｉｒｅｃｔリンクと、
非Ｄｉｒｅｃｔリンクと、
特定ホップ数ノードａおよび特定ホップ数ノードｂの間のリンクとの少なくとも１つであってもよい。
【０１４６】
３、ｓｌｏｔインデックスによってフレーム構造指示のｍ個のｓｌｏｔ  ｆｏｒｍａｔを判断し、これに対応して、サブフレームｎ又は特定サブフレームから、固定的なサブフレーム間隔ｘを間隔とするｍ個のｓｌｏｔは、例えば、｛ｓｌｏｔ  ｎ、ｓｌｏｔ  ｎ＋ｘ、．．．、  ｓｌｏｔ  ｎ＋（ｍ−１）＊ｘ｝である。
【０１４７】
前記サブフレーム間隔ｘはシステムの予め定義され、又は他のノードに準静的に送信先ノードを配置されてもよい。ｍ＝３で示されるように、図６に示すように複数の非連続サブフレームを指示する。
【０１４８】
好ましい実施例２
（２）複数のＯＦＤＭシンボルクラスターを指示する。
【０１４９】
上位層ノードは送信先ノードにフレーム構造を指示する際に、複数のＯＦＤＭシンボルクラスターのフレーム構造を指示してもよい。指示された複数のＯＦＤＭシンボルクラスターは連続的又は非連続的であってもよい。各ＯＦＤＭシンボルクラスターに含まれるシンボルの数は、同じであってもよいし、異なっていてもよい。送信先ノードはサブフレームｎにおいて１つのフレーム構造指示を受信し、この送信先ノードが受信した１つのフレーム構造はｍ個（ｍ＞＝１）のＯＦＤＭシンボルクラスターのフレーム構造を指示した。送信先ノードは以下の少なくとも１つによって前記フレーム構造指示がどのＯＦＤＭシンボルクラスターのフレーム構造を具体的に指示するかを決定する。
【０１５０】
システムに予め定義され、又は他のノードにＯＦＤＭシンボルクラスターの大きさを準静的に配置され、ここで、他のノードの準静的な配置は第１ノードによって準静的に配置されるを含み、例えば、１つのＯＦＤＭシンボルクラスターは、ｘ個（ｘ＞＝１）のＯＦＤＭシンボルを含む。前記フレーム構造は指示したｍ個のＯＦＤＭシンボルクラスターはサブフレームｎ又は特定サブフレームの一番目のＯＦＤＭシンボルから始まるｍ個の連続的なＯＦＤＭシンボルクラスターに対応する。ｍ＝３を例として、前記フレーム構造は、｛ＯＦＤＭシンボルクラスターｉ、ＯＦＤＭシンボルクラスターｉ＋１、ＯＦＤＭシンボルクラスターｉ＋２｝を指示し、図７に示すような複数のＯＦＤＭシンボルクラスターの模式図（一）のようである。
【０１５１】
前記フレーム構造が指示したｍ個のＯＦＤＭシンボルクラスターはサブフレームｎ又は特定サブフレームの一番目のＯＦＤＭシンボル又は特定ＯＦＤＭシンボルクラスターから始まるｍ個の非連続的なＯＦＤＭシンボルクラスターに対応する。ｍ個のＯＦＤＭシンボルクラスターは、非連続ですが、それらの間は等間隔であり、間隔は、ＯＦＤＭシンボル又はＯＦＤＭシンボルクラスターで測定されてもよく、システムによって予め定義されること又は他のノードはｙ個のＯＦＤＭシンボル又はｙ個（ｙ＞＝１）のＯＦＤＭシンボルクラスターを準静的に配置してもよい。
【０１５２】
ｍ＝３を例として、前記フレーム構造は、｛ＯＦＤＭシンボルクラスターｉ、ＯＦＤＭシンボルクラスターｉ＋ｙ、ＯＦＤＭシンボルクラスターｉ＋２＊ｙ｝を指示し、ここでｙはＯＦＤＭシンボルクラスターの数であり、図８に示すように複数のＯＦＤＭシンボルクラスターを指示する。
【０１５３】
前記フレーム構造が指示したｍ個のＯＦＤＭシンボルクラスターはサブフレームｎ又は特定サブフレームの一番目のＯＦＤＭシンボル又は特定ＯＦＤＭシンボル又は一番目のＯＦＤＭシンボルクラスター又は特定ＯＦＤＭシンボルクラスターから始まるｍ個のＯＦＤＭシンボルクラスターに対応する。これらのｍ個のＯＦＤＭシンボルクラスターは、連続又は非連続であってもよく、非連続であれば、等間隔であってもよいし、不等間隔であってもよい。同じタイプのリンクタイプに対応する。前記フレーム構造はリンクタイプ１を指示する場合、ｍ個のＯＦＤＭシンボルクラスターはサブフレームｎ又は特定サブフレームの一番目のＯＦＤＭシンボル又は特定ＯＦＤＭシンボルから始まるｍ個のリンクタイプ１のＯＦＤＭシンボルクラスターに対応し、これらのｍ個のＯＦＤＭシンボルクラスターは、連続又は非連続であってもよい。ｍ＝３を例として、図９に示すように複数のＯＦＤＭシンボルクラスターを指示する
前記送信先ノードは、システムが予め定義する方式、又は他のノードが準静的に配置する方式でリンクタイプを把握する。
【０１５４】
前記リンクタイプは、
Ｂａｃｋｈａｕｌリンクと、
Ａｃｃｅｓｓリンクと、
非Ｂａｃｋｈａｕｌリンクと、
非Ａｃｃｅｓｓリンクと、
Ｄｉｒｅｃｔリンクと、
非Ｄｉｒｅｃｔリンクと、
特定ホップ数ノードａおよび特定ホップ数ノードｂの間のリンクとの少なくとも１つを含んでもよい。
【０１５５】
前記リンクタイプ１は前記リンクタイプのうちの一種である。
好ましい実施例３
（３）複数のＯＦＤＭシンボルを指示する。
【０１５６】
上位層ノードは送信先ノードにフレーム構造を指示する際に、複数のＯＦＤＭシンボルクラスターのフレーム構造を指示してもよい。指示された複数のＯＦＤＭシンボルは連続的又は非連続的であってもよい。同じであってもよいし、異なっていてもよい。送信先ノードはサブフレームｎにおいて１つのフレーム構造指示を受信し、当該フレーム構造はｍ個（ｍ＞＝１）ＯＦＤＭシンボルのフレーム構造を指示する。送信先ノードは以下の少なくとも１つによって前記フレーム構造指示がどのＯＦＤＭシンボルクラスターのフレーム構造を具体的に指示するかを決定する。
【０１５７】
ｍ個のＯＦＤＭシンボルは非連続であれば、ここで、前後２つのＯＦＤＭシンボルの間の間隔がｘ個のＯＦＤＭシンボルであり、システムによって予め定義され、又は他のノードによって準静的に間隔ｘ（ｘ＞＝１）の大きさが配置される。例えば、前記フレーム構造は指示されたｍ個ＯＦＤＭシンボルはサブフレームｎ又は特定サブフレームの一番目のＯＦＤＭシンボル又は特定ＯＦＤＭシンボルから始まるｍ個の非連続等間隔ＯＦＤＭシンボルに対応する。ｍ＝６、間隔ｘ＝４を例として、前記フレーム構造は、｛ＯＦＤＭシンボルクラスターｉ、ＯＦＤＭシンボルクラスターｉ＋ｘ、ＯＦＤＭシンボルクラスターｉ＋２＊ｘ、ＯＦＤＭシンボルクラスターｉ＋３＊ｘ、ＯＦＤＭシンボルクラスターｉ＋４＊ｘ、ＯＦＤＭシンボルクラスターｉ＋５＊ｘ｝を指示し、図１０に示すように複数のＯＦＤＭシンボルを指示する。
【０１５８】
ｍ個のＯＦＤＭシンボルは非連続であれば、リンクタイプによってフレーム構造指示がどのＯＦＤＭシンボルのフレーム構造を具体的に指示するかを判断する。前記フレーム構造指示はリンクタイプ１に対応する場合、前記フレーム構造が指示するｍ個のＯＦＤＭシンボルはサブフレームｎ又は特定サブフレームの一番目のＯＦＤＭシンボル又は特定ＯＦＤＭシンボルから始まるｍ個のリンクタイプはリンクタイプ１に属するＯＦＤＭシンボルのフレーム構造にそれぞれ対応し、連続なｍ個のＯＦＤＭシンボル又は非連続なｍ個のＯＦＤＭシンボルであってもよい。ｍ＝１６を例として、図１１に示すように複数のＯＦＤＭシンボルを指示する。
【０１５９】
前記送信先ノードは、システムが予め定義する方式、又は他のノードが準静的に配置する方式でリンクタイプを把握する。
【０１６０】
前記リンクタイプは、
Ｂａｃｋｈａｕｌリンクと、
Ａｃｃｅｓｓリンクと、
非Ｂａｃｋｈａｕｌリンクと、
非Ａｃｃｅｓｓリンクと、
Ｄｉｒｅｃｔリンクと、
非Ｄｉｒｅｃｔリンクと、
特定ホップ数ノードａおよび特定ホップ数ノードｂの間のリンクと、の少なくとも１つを含んでもよい。
【０１６１】
前記リンクタイプ１は前記リンクタイプのうちの一種である。
好ましい実施例４
（４）新しいＳＦＩ  ｆｏｒｍａｔは連続的なＯＦＤＭシンボルに対応する。
【０１６２】
フレーム構造を配置する時間単位は複数のＯＦＤＭシンボルであり、システムは予め定義することにより、又は特定ノードによって時間単位にいくつかのＯＦＤＭシンボルを含むことを準静的に配置してもよい。例えば、システムは予め定義することにより、又は特定ノードによって時間単位に４つのＯＦＤＭシンボルを含むことを準静的に配置し、従って、１つタイプのフレーム構造ｆｏｒｍａｔは４つのＯＦＤＭシンボルの伝送属性を指示することができ、かつ連続的な４つのＯＦＤＭシンボルである。
【０１６３】
好ましい実施例５
（５）新しいＳＦＩ  ｆｏｒｍａｔは非連続的なＯＦＤＭシンボルに対応する。
【０１６４】
フレーム構造を配置された時間単位は複数のＯＦＤＭシンボルであり、システムは予め定義することにより、又は特定ノードによって時間単位にいくつかのＯＦＤＭシンボルを含むことを準静的に配置してもよい。例えば、システムは予め定義することにより、又は特定ノードによって時間単位に４つのＯＦＤＭシンボルを含むことを準静的に配置し、従って、１つタイプのフレーム構造ｆｏｒｍａｔは４つのＯＦＤＭシンボルの伝送属性を指示することができ、１つの時間単位のフレーム構造指示は、連続的又は非連続的な４つのＯＦＤＭシンボルを指示ことができる。
【０１６５】
フレーム構造が有効化のＯＦＤＭシンボルを指示するから始まり、特定のリンクタイプを満たす連続的なＯＦＤＭシンボルの数が４つＯＦＤＭシンボル以上である場合には、１つの時間単位のフレーム構造指示に対して、連続的な４つのＯＦＤＭシンボルの伝送属性を指示することができ、図１２に示すような新しいＳＦＩ  ｆｏｒｍａｔ−−連続的なＯＦＤＭシンボル模式図（一）又は図１３に示すような新しいＳＦＩ  ｆｏｒｍａｔ−−連続的なＯＦＤＭシンボル模式図（二）に対応する。図１２と図１３の区別は指示された４つのＯＦＤＭシンボルがｓｌｏｔ境界を跨るか否かである。
【０１６６】
フレーム構造が有効化のＯＦＤＭシンボルを指示するから始まり、特定のリンクタイプを満たす連続的なＯＦＤＭシンボルの数が４つＯＦＤＭシンボル以下である場合には、１つの時間単位のフレーム構造指示に対して、非連続的な４つのＯＦＤＭシンボルの伝送属性を指示することができ、４つのＯＦＤＭシンボルのうちの前の一部はフレーム構造指示開始シンボルから始めた連続的な複数のＯＦＤＭシンボルの伝送属性を指示し、特定リンクタイプを満たすＯＦＤＭシンボルまで終わり、前の一部がｘ個のＯＦＤＭシンボルを指示する場合、４つのＯＦＤＭシンボルのうちの後の一部は、特定リンクタイプの次の時間領域のリソース開始ＯＦＤＭシンボルから始めた４−ｘ（ｘ＜４）の連続的なＯＦＤＭシンボルを指示する。図１２にｘ＝３であり、図１４に示すような新しいＳＦＩ  ｆｏｒｍａｔ−−非連続的なＯＦＤＭシンボル模式図（三）に対応する。
【０１６７】
明らかなように、上述した本発明の実施例の１つ又は複数のモジュール又は、１つ又は複数のステップは、汎用の演算装置を用いて実現され得ることは、当業者に理解すべきである。これらは単一の演算装置に集約されていてもよいし、複数の計算装置からなるネットワーク上に分布していてもよく、好ましくは、これらは、算出装置が実行可能なプログラムコードによって実現されてもよく、これにより、記憶装置に記憶されて算出装置によって実行されてもよく、また、いくつかの場合には、ここでの順序と異なる順序で示された又は説明されたステップが実行されてもよいし、又はそれらがそれぞれ１つ又は複数の集積回路モジュールとして作成されたり、それらのうちの複数のモジュール又はステップが単一の集積回路モジュールに作成されたりして実現されてもよい。このように、本発明の実施例は、特定のハードウェアとソフトウェアとの組み合わせに限定されるものではない。
【図１】
2021523658.tif 000003
【図２】
2021523658.tif 000004
【図３】
2021523658.tif 000005
【図４】
2021523658.tif 000006
【図５】
2021523658.tif 000007
【図６】
2021523658.tif 000008
【図７】
2021523658.tif 000009
【図８】
2021523658.tif 000010
【図９】
2021523658.tif 000011
【図１０】
2021523658.tif 000012
【図１１】
2021523658.tif 000013
【図１２】
2021523658.tif 000014
【図１３】
2021523658.tif 000015
【図１４】
2021523658.tif 000016
【国際調査報告】
2021523658.tif 000017
2021523658.tif 000018
2021523658.tif 000019
2021523658.tif 000020